(57)【要約】      （修正有）【課題】繰り返し使用に適する包装体を提供する。【解決手段】包装体１は、被包装物２を収納する収納部５を有する直方体又は立方体である、包装体１は、底部11と、折曲自在に接続した右側面部12と、底部11に折曲自在に接続し、底部11より略９０°の立設時、右側面部12と対向する左側面部13と、底部11に折曲自在に接続した背面部15と、底部11に折曲自在に接続し、底部11より略９０°の立設時、背面部15と対向する正面部16と、左側面部13に折曲自在に接続し、底部11に向かう方向で左側面部13より略９０°折曲時、底部11と天井部14とを有し、包装体11は、周縁をシ−ルした柔軟な二枚の防水性の合成樹脂層と、この二枚の合成樹脂間に設けた剛性体Ｃ層との三層を有し、折曲自在な位置に対応する包装体１の部位は、剛性体Ｃと前記合成樹脂の包装体の少なくとも三層か又は剛性体Ｃを欠除した前記合成樹脂の包装体の二層で形成されている。【選択図】図４
2004359277.tif 000002
【特許請求の範囲】
【請求項１】
内部に被包装物を収納する収納部を有して組み立て可能な六面を有する直方体又は立方体形状の包装体と、
この包装体は、底部と、この底部に折曲自在に接続された右側面部と、前記底部に折曲自在に接続され、前記底部より略９０°の立設時、前記底部より略９０°立設した前記右側面部と対向する左側面部と、前記底部に折曲自在に接続された背面部と、前記底部に折曲自在に接続され、前記底部より略９０°の立設時、前記底部より略９０°立設した前記背面部と対向する正面部と、前記左側面部に折曲自在に接続され、前記左側面部より前記底部に向かう方向に略９０°折曲時、前記底部と対向する天井部とを有し、
前記底部より略９０°の立設時の前記背面部と前記左側面部とを着脱自在に連結する第１の連結手段と、
前記底部より略９０°の立設時の前記背面部と前記右側面部とを着脱自在に連結する第２の連結手段と、
前記底部より略９０°の立設時の前記正面部と前記左側面部とを着脱自在に連結する第３の連結手段と、
前記底部より略９０°の立設時の前記正面部と前記右側面部とを着脱自在に連結する第４の連結手段と、
前記底部より略９０°の立設時の前記背面部、前記底部より略９０°の立設時の前記正面部、前記底部より略９０°の立設時の前記右側面部の内の何れか一つと前記左側面部より前記底部に向かう方向に略９０°折曲時の前記天井部とを着脱自在に連結する第５の連結手段と、
前記包装体は、周縁をシ−ルした柔軟な二枚の防水性を有する合成樹脂の層と、この二枚の合成樹脂の間に設けられた剛性体の層との少なくとも三層を有し、
折曲自在な位置に対応する前記包装体の部位は、折曲自在となった前記剛性体と前記合成樹脂の包装体の少なくとも三層か又は前記剛性体を欠除した少なくとも前記合成樹脂の包装体の二層で形成されている
ことを特徴とする包装体。
【請求項２】
剛性体は段ボ−ルであり、この段ボ−ルは矩形形状の第１、第２の段ボ−ルで構成され、
包装体の展開時、前記第１の段ボ−ルは、前記包装体の天井部、左側面部、底部、右側面部に位置し、前記第２の段ボ−ルは、前記包装体の背面部、底部、正面部に位置し、前記包装体の底部で重なっている
ことを特徴とする請求項１記載の包装体。
【請求項３】
包装体には、被包装体を保護する空気入りの緩衝材が設けられ、この緩衝材は空気の出し入れが自在であり、
前記緩衝材は使用後、前記緩衝材内の空気を前記緩衝材外へ放出して扁平状にすることができ、外部へ空気を放出した扁平状の前記緩衝材を収納する収納部を前記包装体に設けている
ことを特徴とする請求項１記載の包装体。
【発明の詳細な説明】
【０００１】
本発明は、包装体に係り、特に、繰り返し使用に適する包装体に関する。
【０００２】
【従来の技術】
従来、包装体（緩衝包装装置）として、緩衝材を介して被包装体を段ボ−ル箱に収納して搬送している（例えば、特許文献１参照）。
【特許文献１】
特開平１１−３０１７４０号公報
【発明が解決しようとする課題】
しかしながら、前述した包装体としての段ボ−ル箱は、耐水性と耐久性の点で繰り返し使用に適さず、耐水性と耐久性の点を満足させようとすれば、段ボ−ル箱が高価になってしまうという問題点が生じる。
本発明は、上述した問題点を考慮し、繰り返し使用に適する包装体を提供するものである。
【０００３】
【課題を解決するための手段】
上記目的を達成するために、請求項１記載の包装体は、内部に被包装物を収納する収納部を有して組み立て可能な六面を有する直方体又は立方体形状の包装体と、この包装体は、底部と、この底部に折曲自在に接続された右側面部と、前記底部に折曲自在に接続され、前記底部より略９０°の立設時、前記底部より略９０°立設した前記右側面部と対向する左側面部と、前記底部に折曲自在に接続された背面部と、前記底部に折曲自在に接続され、前記底部より略９０°の立設時、前記底部より略９０°立設した前記背面部と対向する正面部と、前記左側面部に折曲自在に接続され、前記左側面部より前記底部に向かう方向に略９０°折曲時、前記底部と対向する天井部とを有し、前記底部より略９０°の立設時の前記背面部と前記左側面部とを着脱自在に連結する第１の連結手段と、前記底部より略９０°の立設時の前記背面部と前記右側面部とを着脱自在に連結する第２の連結手段と、前記底部より略９０°の立設時の前記正面部と前記左側面部とを着脱自在に連結する第３の連結手段と、前記底部より略９０°の立設時の前記正面部と前記右側面部とを着脱自在に連結する第４の連結手段と、前記底部より略９０°の立設時の前記背面部、前記底部より略９０°の立設時の前記正面部、前記底部より略９０°の立設時の前記右側面部の内の何れか一つと前記左側面部より前記底部に向かう方向に略９０°折曲時の前記天井部とを着脱自在に連結する第５の連結手段と、前記包装体は、周縁をシ−ルした柔軟な二枚の防水性を有する合成樹脂の層と、この二枚の合成樹脂の間に設けられた剛性体の層との少なくとも三層を有し、折曲自在な位置に対応する前記包装体の部位は、折曲自在となった前記剛性体と前記合成樹脂の包装体の少なくとも三層か又は前記剛性体を欠除した少なくとも前記合成樹脂の包装体の二層で形成されているものである。
【０００４】
また、請求項２記載の包装体は、請求項１記載の包装体において、剛性体は段ボ−ルであり、この段ボ−ルは矩形形状の第１、第２の段ボ−ルで構成され、包装体の展開時、前記第１の段ボ−ルは、前記包装体の天井部、左側面部、底部、右側面部に位置し、前記第２の段ボ−ルは、前記包装体の背面部、底部、正面部に位置し、前記包装体の底部で重なっているものである。
【０００５】
また、請求項３記載の包装体は、請求項１記載の包装体において、包装体には、被包装体を保護する空気入りの緩衝材が設けられ、この緩衝材は空気の出し入れが自在であり、前記緩衝材は使用後、前記緩衝材内の空気を前記緩衝材外へ放出して扁平状にすることができ、外部へ空気を放出した扁平状の前記緩衝材を収納する収納部を前記包装体に設けているものである。
【０００６】
【実施例】
本発明の一実施例の包装体を図面を参照して説明する。
図１乃至図８において、１は包装体で、包装体１は内部に被包装物２を収納する収納部を有して組み立て可能な六面を有する直方体（又は立方体）形状の包装体である。３は、被包装物２と包装体１との間に設けられた空気を内在した緩衝材である。
【０００７】
包装体１は、図４に展開して示すように、底部１１と、この底部１１に折曲自在に接続された右側面部１２と、底部１１に折曲自在に接続された左側面部１３と、左側面部１３に折曲自在に接続された天井部１４と、底部１１に折曲自在に接続された背面部１５と、底部１１に折曲自在に接続された正面部１６とを有している。
【０００８】
左側面部１３の一方の開放された辺には、矩形形状の第１の延長左側面部１３’が、左側面部１３の他方の開放された辺には、矩形形状の第２の延長左側面部１３”が、第１の延長左側面部１３’には、第１の面状ファスナ−Ｆ１  が、第２の延長左側面部１３”には、第２の面状ファスナ−Ｆ２  が、それぞれ設けられている。
また、右側面部１２の一方の開放された辺には、矩形形状の第１の延長右側面部１２’が、右側面部１２の他方の開放された辺には、矩形形状の第２の延長左側面部１２”が、第１の延長右側面部１２’には、第３の面状ファスナ−Ｆ３  が、第２の延長左側面部１２”には、第４の面状ファスナ−Ｆ４  が、それぞれ設けられている。
【０００９】
また、天井部１４の左側面部１３の辺と対向する（反対側）側の辺には、矩形形状の延長天井部１４’が、延長天井部１４’には第５の面状ファスナ−Ｆ５  が、それぞれ設けられている。
背面部１５の底部１１の辺と対向する（反対側）側の辺には、略舌部形状の第１の舌部Ｔ１  が、正面部１６の底部１１の辺と対向する（反対側）側の辺には、略舌部形状の第２の舌部Ｔ２  が、それぞれ設けられている。第１の舌部Ｔ１  の裏面（図４において）には、第６の面状ファスナ−Ｆ６  が、第２の舌部Ｔ２  の表面には、第７の面状ファスナ−Ｆ７  が、それぞれ設けられている。
Ｆ８  は第８の面状ファスナ−で、第８の面状ファスナ−Ｆ８  は右側面部１２の底部１１の辺と対向する（反対側）側の辺に沿って設けられている。
背面部１５の底部１１より略９０°の立設時の立設する一方の辺に沿って第９の面状ファスナ−Ｆ９  が、立設する他方の辺に沿って第１０の面状ファスナ−Ｆ１０が、それぞれ設けられている。
正面部１６の底部１１より略９０°の立設時の立設する一方の辺に沿って第１１の面状ファスナ−Ｆ１１が、立設する他方の辺に沿って第１２の面状ファスナ−Ｆ１２が、それぞれ設けられている。
【００１０】
なお、左側面部１３は底部１１より略９０°の立設時、底部１１より略９０°立設した右側面部１２と対向し、また、正面部１６は底部１１より略９０°の立設時、底部１１より略９０°立設した背面部１５と対向し、天井部１４は左側面部１３より底部１１に向かう方向に略９０°折曲時、底部１１と対向するようになっている（図１、図２及び図３参照）。
【００１１】
底部１１より略９０°の立設時の背面部１５と左側面部１３とは、第１の連結手段（第１の連結手段は、例えば、第１の面状ファスナ−Ｆ１  と第９の面状ファスナ−Ｆ９  とにより連結される。）により着脱自在に連結される。
また、底部１１より略９０°の立設時の背面部１５と右側面部１２とは、第２の連結手段（第２の連結手段は、例えば、第３の面状ファスナ−Ｆ３  と第１０の面状ファスナ−Ｆ１０とにより連結される。）により着脱自在に連結される。
また、底部１１より略９０°の立設時の正面部１６と左側面部１３とは、第３の連結手段（第３の連結手段は、例えば、第２の面状ファスナ−Ｆ２  と第１１の面状ファスナ−Ｆ１１とにより連結される。）により着脱自在に連結される。
また、底部１１より略９０°の立設時の正面部１６と右側面部１２とは、第４の連結手段（第４の連結手段は、例えば、第４の面状ファスナ−Ｆ４  と第１２の面状ファスナ−Ｆ１２とにより連結される。）により着脱自在に連結される。
また、底部１１より略９０°の立設時の背面部１５、底部１１より略９０°の立設時の正面部１６、底部１１より略９０°の立設時の右側面部１２の内の何れか一つ（本実施例では、右側面部１２）と左側面部１３より底部１１に向かう方向で略９０°折曲時の天井部１３とは、第５の連結手段により着脱自在に連結される。なお、第５の連結手段は、例えば、第５の面状ファスナ−Ｆ５  と第８の面状ファスナ−Ｆ  ８とにより連結される。
また、第１の舌部Ｔ１  を被包装物２側に倒し、倒された第１の舌部Ｔ１  の上に第２の舌部Ｔ２  を倒し、第６の連結手段（第６の連結手段は、例えば、第６の面状ファスナ−Ｆ６  と第７の面状ファスナ−Ｆ７  とにより連結される。）により着脱自在に連結される。
【００１２】
包装体１は、図４乃至図７に示すように、周縁をシ−ルした柔軟な二枚の防水性を有する合成樹脂の層Ａ、Ｂと、この二枚の合成樹脂の間に設けられた剛性体の層Ｃとの少なくとも三層Ａ、Ｂ、Ｃを有している。
折曲自在な位置に対応する包装体１の部位（例えば、Ｍ、Ｎ、Ｏ、Ｐ、Ｑ）は、折曲自在となった剛性体と前記合成樹脂の包装体の少なくとも三層Ａ、Ｂ、Ｃとなっているか、または、折曲自在な位置に対応する包装体１の部位（例えば、Ｍ、Ｎ、Ｏ、Ｐ、Ｑ）は、図示しないが、剛性体Ｃを欠除した少なくとも合成樹脂の包装体の二層Ａ、Ｂで形成されていれば良い。
【００１３】
剛性体Ｃは、例えば、段ボ−ルであり、この段ボ−ルは矩形形状の第１、第２の段ボ−ルＣ１  、Ｃ２  で構成され、包装体１の展開時、第１の段ボ−ルＣ１  は、包装体１の天井部１４、左側面部１３、底部１１、右側面部１２に位置し、第２の段ボ−ルＣ２  は、包装体１の背面部１５、底部１１、正面部１６に位置し、包装体１の底部１１で重なっている。
従って、剛性体Ｃに安価な段ボ−ルを利用でき、しかも、第１の段ボ−ルＣ１  と第２の段ボ−ルＣ２  を十字状に設ければ良く簡易に製造でき、更に、包装体１の底部１１は、第１の段ボ−ルＣ１  の底部Ｃ１  ’と第２の段ボ−ルＣ２  の底部Ｃ２  ’とが重なるため、強度的に強い包装体１を得ることができる。
なお、上述した折曲自在な位置に対応する包装体１の部位Ｍ、Ｎ、Ｏ、Ｐ、Ｑは、段ボ−ルでは容易に形成でき、図５では、Ｍ’、Ｎ’、Ｏ’、Ｐ’、Ｑ’がそれぞれ対応する。
【００１４】
図８に示す５は緩衝材３を収納する収納部で、包装体１には、被包装体２を保護する空気入りの緩衝材３（図３参照）が設けられ、この緩衝材３は空気の出し入れが自在である。
緩衝材３は使用後、緩衝材３内の空気を緩衝材３の外へ放出させて図８（ａ）に示すように、扁平状にすることができ、外部へ空気を放出した扁平状の緩衝材３を収納部５へ収納させることができる。より望ましくは、図８（ａ）に示す方向に包装体１を折り曲げ、更にコンパクトにすることができる［図８（ｂ）参照］。
従って、この包装体１によれば、折曲自在な包装体１を利用して組み立てて使用することができ、使用後は組み立てた包装体１を解除して扁平状にして［図８（ａ）、より望ましくは、図８（ｂ）参照］、使用後の包装体１の嵩張りを少なくすることができ、しかも、包装体１は、柔軟な二枚の防水性を有する合成樹脂の層Ａ、Ｂと、この二枚の合成樹脂の間に設けられた剛性体の層Ｃとの少なくとも三層Ａ、Ｂ、Ｃを有しているため、耐水性と耐久性に優れ、繰り返して包装体１を使用することができ、更に、包装体１を繰り返し使用するにあって、緩衝材３は使用後、緩衝材３内の空気を緩衝材３の外へ放出させて扁平状にすることができ、外部へ空気を放出した扁平状の緩衝材３を収納する収納部５を包装体１に設けているため、使用後の包装体１の嵩張りを少なくすることができ、しかも、包装体１を使用する際には、収納部５に収納されている緩衝材３を取り出して使用することができ、使用勝手を向上させることができる。
【００１５】
【発明の効果】
請求項１記載の包装体によれば、折曲自在な包装体を利用して組み立てて使用することができ、使用後は組み立てた包装体を解除して扁平状にして、使用後の包装体の嵩張りを少なくすることができ、しかも、包装体は、柔軟な二枚の防水性を有する合成樹脂の層と、この二枚の合成樹脂の間に設けられた剛性体の層との少なくとも三層を有しているため、耐水性と耐久性に優れ、繰り返して包装体を使用することができる。
【００１６】
また、請求項２記載の包装体によれば、剛性体に安価な段ボ−ルを利用でき、しかも、第１の段ボ−ルと第２の段ボ−ルを十字状に設ければ良く簡易に製造でき、更に、包装体の底部は、第１の段ボ−ルの底部と第２の段ボ−ルの底部とが重なるため、強度的に強い包装体を得ることができる。
【００１７】
また、請求項３記載の包装体によれば、包装体を繰り返し使用するにあって、緩衝材は使用後、緩衝材内の空気を緩衝材の外へ放出させて扁平状にすることができ、外部へ空気を放出した扁平状の緩衝材を収納する収納部を包装体に設けているため、使用後の包装体の嵩張りを少なくすることができ、しかも、包装体を使用する際には、収納部に収納されている緩衝材を取り出して使用することができ、使用勝手を向上させることができる。
【図面の簡単な説明】
【図１】図１は、本発明の一実施例の包装体の概略的斜視図である。
【図２】図２は図１の包装体を開いた状態の概略的斜視図である。
【図３】図３は、図２の包装体を開いた状態の概略的斜視図である。
【図４】図４は、図１の包装体の概略的展開図である。
【図５】図５は、図４の包装体の構造を分解して示す概略的分解斜視図である。
【図６】図６は、図４のＸ−Ｘ線による概略的断面図である。
【図７】図７は、図４のＹ−Ｙ線による概略的断面図である。
【図８】図８（ａ）は、扁平状にした緩衝材を扁平状にした包装体の収納部へに収納する前の状態の概略的斜視図で、図８（ｂ）は、扁平状にした包装体を折り曲げた状態の概略的斜視図である。
【符号の説明】
１  ・・・・・包装体
２  ・・・・・被包装物
１１  ・・・・・底部
１２  ・・・・・右側面部
１３  ・・・・・左側面部
１４  ・・・・・天井部
１５  ・・・・・背面部
１６  ・・・・・正面部
【図１】
2004359277.tif 000003
【図２】
2004359277.tif 000004
【図３】
2004359277.tif 000005
【図４】
2004359277.tif 000006
【図５】
2004359277.tif 000007
【図６】
2004359277.tif 000008
【図７】
2004359277.tif 000009
【図８】
2004359277.tif 000010